(57)【特許請求の範囲】
【請求項１】
テープ基材の一方の面に形成されたゴミ取り面を有する清掃用粘着テープの製造装置において、
所定のテープ搬送経路上を移動する上記テープ基材の一方の面上に所定のゴミ取り面形成材を塗布する塗布ノズルを含み、
上記塗布ノズルは、上記テープ基材の一方の面上に粘着剤を直に塗布して被清掃面上に存在するゴミを捕捉する粘着剤層を形成する第１塗布部と、上記粘着剤よりも弱い弱粘着剤を含みゴム弾性を有するスペーサ剤を上記テープ基材の一方の面上における上記粘着剤層とは異なる位置に上記粘着剤とほぼ同時に直に塗布してスペーサ層を形成する第２塗布部とを一体に備えるとともに、上記粘着剤および上記スペーサ剤の塗布条件をそれぞれ独立して制御する制御部を有し、
上記第２塗布部は、上記テープ基材の一方の面に対して上記第１塗布部とほぼ同じ高さ位置に配置されており、上記スペーサ層が上記粘着剤層よりも厚い厚さをもって形成されるように、上記制御部により、上記粘着剤および上記スペーサ剤の温度，粘度，吐出圧，吐出量の中から選択された少なくとも一つの塗布条件が制御されることを特徴とする清掃用粘着テープの製造装置。
【請求項２】
上記塗布ノズルは、粘着剤注入口を有する第１ヘッド部およびスペーサ剤注入口を有する第２ヘッド部と、上記各ヘッド部間に狭持される第１シーム部材および第２シーム部材とを含み、上記第１シーム部材の下端側には、所定の第１案内経路を介して上記粘着剤注入口と連通する第１吐出口が櫛刃状に形成され、上記第２シーム部材の下端部には、所定の第２案内経路を介して上記スペーサ剤注入口と連通する第２吐出口が、上記第１吐出口の間に配置されていることを特徴とする請求項１に記載の清掃用粘着テープの製造装置。
【請求項３】
テープ基材の一方の面に形成されたゴミ取り面を有する清掃用粘着テープの製造装置において、
所定のテープ搬送経路上を移動する上記テープ基材の一方の面上に所定のゴミ取り面形成材を塗布する塗布ノズルを含み、
上記塗布ノズルは、上記テープ搬送経路上の上流側に配置され、上記テープ基材の一方の面上に粘着剤を直に塗布して被清掃面上に存在するゴミを捕捉する粘着剤層を形成する第１塗布部と、上記テープ搬送経路上の下流側に配置され、上記粘着剤よりも弱い弱粘着剤を含みゴム弾性を有するスペーサ剤を塗布してスペーサ層を形成する第２塗布部とを一体に備え、
上記第１塗布部および上記第２塗布部は、上記テープ基材の一方の面に対してほぼ同じ高さ位置に設けられており、上記第１塗布部は、上記テープ基材の幅方向に沿って連続して開口された第１吐出口を有し、上記第２塗布部は、上記テープ基材の幅方向に沿って櫛刃状に開口された上記第２吐出口を有し、上記第１吐出口と上記第２吐出口との間には、上記第１吐出口から吐出された上記粘着剤を均す断面半円状の均し部が上記テープ基材に向けて突設されており、
上記第１吐出口から吐出された上記粘着剤を上記均し部により上記テープ基材の上に沿ってほぼ平坦な上記粘着剤層として塗布するとともに、上記粘着剤層の上に上記第２吐出口から吐出された上記スペーサ剤を筋状に塗布することを特徴とする清掃用粘着テープの製造装置。
【請求項４】
テープ基材の一方の面に形成されたゴミ取り面を有する清掃用粘着テープの製造方法において、
所定のテープ搬送経路上を移動する上記テープ基材の一方の面上に所定のゴミ取り面形成材を塗布する塗布ノズルを含み、
上記塗布ノズルとして、上記テープ基材の一方の面上に粘着剤を直に塗布して被清掃面上に存在するゴミを捕捉する粘着剤層を形成する第１塗布部と、上記粘着剤よりも弱い弱粘着剤を含みゴム弾性を有するスペーサ剤を上記テープ基材の一方の面上における上記粘着剤層とは異なる位置に上記粘着剤とほぼ同時に直に塗布してスペーサ層を形成する第２塗布部とを一体に備えるとともに、上記粘着剤および上記スペーサ剤の塗布条件をそれぞれ独立して制御する制御部を有し、
上記第２塗布部を上記テープ基材の一方の面に対して上記第１塗布部とほぼ同じ高さ位置に配置し、上記制御部により、上記粘着剤および上記スペーサ剤の温度，粘度，吐出圧，吐出量の中から選択された少なくとも一つの塗布条件を制御して、上記第１塗布部と上記第２塗布部とから、上記粘着剤層の厚さをＴ１、上記スペーサ層の厚さをＴ２として、Ｔ２＞Ｔ１となるように、上記テープ基材の一方の面上に上記粘着剤と上記スペーサ剤とをほぼ同時に直に塗布して、厚さＴ１の上記粘着剤層と厚さＴ２の上記スペーサ層とを形成することを特徴とする清掃用粘着テープの製造方法。
【請求項５】
テープ基材の一方の面に形成されたゴミ取り面を有する清掃用粘着テープの製造方法において、
所定のテープ搬送経路上を移動する上記テープ基材の一方の面上に所定のゴミ取り面形成材を塗布する塗布ノズルを含み、
上記塗布ノズルとして、上記テープ搬送経路上の上流側に配置され、上記テープ基材の一方の面上に粘着剤を直に塗布して被清掃面上に存在するゴミを捕捉する粘着剤層を形成する第１塗布部と、上記テープ搬送経路上の下流側に配置され、上記粘着剤よりも弱い弱粘着剤を含みゴム弾性を有するスペーサ剤を塗布してスペーサ層を形成する第２塗布部とを一体に備え、
上記第１塗布部および上記第２塗布部を上記テープ基材の一方の面に対してほぼ同じ高さ位置に配置し、上記第１塗布部には、上記テープ基材の幅方向に沿って連続して開口された第１吐出口を設け、上記第２塗布部には、上記テープ基材の幅方向に沿って櫛刃状に開口された上記第２吐出口を設けるとともに、上記第１吐出口と上記第２吐出口との間に、上記第１吐出口から吐出された上記粘着剤を均す断面半円状の均し部を上記テープ基材に向けて突設させ、
上記第１塗布部の上記第１吐出口より上記粘着剤を吐出し、上記均し部により上記テープ基材に沿って平坦な上記粘着剤層を形成するとともに、上記第２塗布部の上記第２吐出口より上記スペーサ剤を吐出して、上記粘着剤層の上に上記テープ基材の繰り出し方向に沿って上記スペーサ層を筋状に形成することを特徴とする清掃用粘着テープロールの製造方法。
【請求項６】
請求項４に記載の清掃用粘着テープの製造方法によって製造され、上記テープ基材の一方の面に、上記ゴミを捕捉する粘着剤層と、表面が上記粘着剤層の表面より上に突出するように上記粘着剤層よりも厚く形成されるスペーサ層とが上記テープ基材に対して直に設けられている清掃用粘着テープを上記テープ基材の一方の面が表側を向くように巻回してなることを特徴とする清掃用粘着テープロール。
【請求項７】
上記粘着剤層および上記スペーサ層は、それぞれ隣接して交互に配置されていることを特徴とする請求項６に記載の清掃用粘着テープロール。
【請求項８】
請求項５に記載の清掃用粘着テープの製造方法によって製造され、上記粘着剤層が上記テープ基材の一方の面の上にほぼ平坦に形成されており、上記粘着剤層の上に上記スペーサ層がストライプ状に設けられている清掃用粘着テープを上記テープ基材の一方の面が表側を向くように巻回してなることを特徴とする清掃用粘着テープロール。
【発明の詳細な説明】
【技術分野】
【０００１】
本発明は、被清掃面に存在しているゴミをゴミ取り面で捕捉する清掃用粘着テープロールに関し、さらに詳しく言えば、フローリングや絨毯など様々な被清掃面に対応可能な清掃用粘着テープロールに関する。
【背景技術】
【０００２】
清掃用の粘着テープロールは、ゴミ取り面が表側を向くように巻回されており、例えば専用の治具を用いてゴミ取り面を床などの被清掃面に沿って転がすことにより、被清掃面上のゴミをゴミ取り面で捕らえることができるようになっている。
【０００３】
ところで、最近の床面は目的や場所に応じて、絨毯や畳、フローリング、クッションフロアなど多種多様であるが、この種の清掃用粘着テープロールは、床面に沿って粘着テープの巻戻し方向に転がした場合、粘着テープがレールのようになって床面に張り付く「レール引き現象」（例えば、特許文献１参照）を引き起こすことがあるため、床面の種類に応じて粘着テープロールも使い分ける必要があった。
【０００４】
具体的には、絨毯などのゴミ取り面が張り付きにくい面には、粘着力を強めた強粘着力タイプを用い、フローリングなどの粘着テープが張り付きやすい面には、粘着力を弱めた弱粘着タイプを用いるようにしている。
【０００５】
しかしながら、ユーザーが床面の種類に応じて粘着テープロール（または取付治具）をいちいち買い揃えていたのでは、面倒である。そこで、本出願人は特許文献２に記載された汎用性のある粘着テープロールを提案している。
【０００６】
この粘着テープロールは、テープ基材の一方の面に形成された粘着剤層の上に、弾性を有する剥離剤層を筋状として所定間隔で形成することを特徴とし、これによれば絨毯など凹凸がある素材が被清掃面の場合には、剥離剤層を超えて直接粘着剤層と接触するが、一方でフローリングなどの平滑素材が被清掃面の場合は、剥離剤層が床面と粘着剤層が直接貼りつくのを防止するスペーサとして働く。それにより絨毯用としてもフローリング用としても使用することができる。また、テープ基材の裏面（他方の面）に対しては剥離剤として作用するため、裏面側の剥離加工が不要になる。
【０００７】
しかしながら、破断を避けるために延伸強度の強い剥離剤層の配合選択と、生産性の面で改善すべき点がある。すなわち、粘着剤層上に剥離剤層を筋状に形成するに当たって、従来ではテープ基材を走行させながら、その一方の面に粘着剤層をベタ状に形成し、引き続いて、その粘着剤層上に溶融した剥離剤を細かい筋状に垂らして剥離剤層を形成するようにしていた。そのため、剥離剤が途切れないように、テープ基材の走行速度を調節する必要があり、これが生産性を低いものにしている。
【０００８】
また、粘着剤層の上に剥離剤層を形成しているため、粘着剤と剥離剤の界面の親和性をよくするための添加剤などを添加する必要があり、その分コストが高くなる。
【０００９】
【特許文献１】特開２００１−２１８７２６号公報（図５）
【特許文献２】特開２００７−１１７５３４号公報
【発明の概要】
【発明が解決しようとする課題】
【００１０】
そこで、本発明は上述した課題を解決するため、フローリングや絨毯など様々な被清掃面に対応し得る低コストな清掃用粘着テープロールを提供することを目的としている。
【課題を解決するための手段】
【００１１】
上述した目的を達成するため、本発明は以下に示すいくつかの特徴を備えている。請求項１に記載の発明は、テープ基材の一方の面に形成されたゴミ取り面を有する清掃用粘着テープの製造装置において、所定のテープ搬送経路上を移動する上記テープ基材の一方の面上に所定のゴミ取り面形成材を塗布する塗布ノズルを含み、上記塗布ノズルは、上記テープ基材の一方の面上に粘着剤を直に塗布して被清掃面上に存在するゴミを捕捉する粘着剤層を形成する第１塗布部と、上記粘着剤よりも弱い弱粘着剤を含みゴム弾性を有するスペーサ剤を上記テープ基材の一方の面上における上記粘着剤層とは異なる位置に上記粘着剤とほぼ同時に直に塗布してスペーサ層を形成する第２塗布部とを一体に備えるとともに、上記粘着剤および上記スペーサ剤の塗布条件をそれぞれ独立して制御する制御部を有し、上記第２塗布部は、上記テープ基材の一方の面に対して上記第１塗布部とほぼ同じ高さ位置に配置されており、上記スペーサ層が上記粘着剤層よりも厚い厚さをもって形成されるように、上記制御部により、上記粘着剤および上記スペーサ剤の温度，粘度，吐出圧，吐出量の中から選択された少なくとも一つの塗布条件が制御されることを特徴としている。
【００１２】
請求項２に記載の発明は、上記請求項１において、上記塗布ノズルは、粘着剤注入口を有する第１ヘッド部およびスペーサ剤注入口を有する第２ヘッド部と、上記各ヘッド部間に狭持される第１シーム部材および第２シーム部材とを含み、上記第１シーム部材の下端側には、所定の第１案内経路を介して上記粘着剤注入口と連通する第１吐出口が櫛刃状に形成され、上記第２シーム部材の下端部には、所定の第２案内経路を介して上記スペーサ剤注入口と連通する第２吐出口が、上記第１吐出口の間に配置されていることを特徴としている。
【００１３】
請求項３に記載の発明は、テープ基材の一方の面に形成されたゴミ取り面を有する清掃用粘着テープの製造装置において、所定のテープ搬送経路上を移動する上記テープ基材の一方の面上に所定のゴミ取り面形成材を塗布する塗布ノズルを含み、上記塗布ノズルは、上記テープ搬送経路上の上流側に配置され、上記テープ基材の一方の面上に粘着剤を直に塗布して被清掃面上に存在するゴミを捕捉する粘着剤層を形成する第１塗布部と、上記テープ搬送経路上の下流側に配置され、上記粘着剤よりも弱い弱粘着剤を含みゴム弾性を有するスペーサ剤を塗布してスペーサ層を形成する第２塗布部とを一体に備え、上記第１塗布部および上記第２塗布部は、上記テープ基材の一方の面に対してほぼ同じ高さ位置に設けられており、上記第１塗布部は、上記テープ基材の幅方向に沿って連続して開口された第１吐出口を有し、上記第２塗布部は、上記テープ基材の幅方向に沿って櫛刃状に開口された上記第２吐出口を有し、上記第１吐出口と上記第２吐出口との間には、上記第１吐出口から吐出された上記粘着剤を均す断面半円状の均し部が上記テープ基材に向けて突設されており、上記第１吐出口から吐出された上記粘着剤を上記均し部により上記テープ基材の上に沿ってほぼ平坦な上記粘着剤層として塗布するとともに、上記粘着剤層の上に上記第２吐出口から吐出された上記スペーサ剤を筋状に塗布することを特徴としている。
【００１７】
本発明には、この清掃用粘着テープロールの製造方法も含まれる。すなわち、請求項４に記載の発明は、テープ基材の一方の面に形成されたゴミ取り面を有する清掃用粘着テープの製造方法において、所定のテープ搬送経路上を移動する上記テープ基材の一方の面上に所定のゴミ取り面形成材を塗布する塗布ノズルを含み、上記塗布ノズルとして、上記テープ基材の一方の面上に粘着剤を直に塗布して被清掃面上に存在するゴミを捕捉する粘着剤層を形成する第１塗布部と、上記粘着剤よりも弱い弱粘着剤を含みゴム弾性を有するスペーサ剤を上記テープ基材の一方の面上における上記粘着剤層とは異なる位置に上記粘着剤とほぼ同時に直に塗布してスペーサ層を形成する第２塗布部とを一体に備えるとともに、上記粘着剤および上記スペーサ剤の塗布条件をそれぞれ独立して制御する制御部を有し、上記第２塗布部を上記テープ基材の一方の面に対して上記第１塗布部とほぼ同じ高さ位置に配置し、上記制御部により、上記粘着剤および上記スペーサ剤の温度，粘度，吐出圧，吐出量の中から選択された少なくとも一つの塗布条件を制御して、上記第１塗布部と上記第２塗布部とから、上記粘着剤層の厚さをＴ１、上記スペーサ層の厚さをＴ２として、Ｔ２＞Ｔ１となるように、上記テープ基材の一方の面上に上記粘着剤と上記スペーサ剤とをほぼ同時に直に塗布して、厚さＴ１の上記粘着剤層と厚さＴ２の上記スペーサ層とを形成することを特徴としている。
【００１９】
請求項５に記載の発明は、テープ基材の一方の面に形成されたゴミ取り面を有する清掃用粘着テープの製造方法において、所定のテープ搬送経路上を移動する上記テープ基材の一方の面上に所定のゴミ取り面形成材を塗布する塗布ノズルを含み、上記塗布ノズルとして、上記テープ搬送経路上の上流側に配置され、上記テープ基材の一方の面上に粘着剤を直に塗布して被清掃面上に存在するゴミを捕捉する粘着剤層を形成する第１塗布部と、上記テープ搬送経路上の下流側に配置され、上記粘着剤よりも弱い弱粘着剤を含みゴム弾性を有するスペーサ剤を塗布してスペーサ層を形成する第２塗布部とを一体に備え、上記第１塗布部および上記第２塗布部を上記テープ基材の一方の面に対してほぼ同じ高さ位置に配置し、上記第１塗布部には、上記テープ基材の幅方向に沿って連続して開口された第１吐出口を設け、上記第２塗布部には、上記テープ基材の幅方向に沿って櫛刃状に開口された上記第２吐出口を設けるとともに、上記第１吐出口と上記第２吐出口との間に、上記第１吐出口から吐出された上記粘着剤を均す断面半円状の均し部を上記テープ基材に向けて突設させ、上記第１塗布部の上記第１吐出口より上記粘着剤を吐出し、上記均し部により上記テープ基材に沿って平坦な上記粘着剤層を形成するとともに、上記第２塗布部の上記第２吐出口より上記スペーサ剤を吐出して、上記粘着剤層の上に上記テープ基材の繰り出し方向に沿って上記スペーサ層を筋状に形成することを特徴としている。
【００２１】
本発明にはさらに、これら清掃用粘着テープロールの製造方法によって製造された清掃用粘着テープによる清掃用粘着テープロールも含まれる。すなわち、請求項６に記載の発明は、請求項４に記載の清掃用粘着テープの製造方法によって製造され、上記テープ基材の一方の面に、上記ゴミを捕捉する粘着剤層と、表面が上記粘着剤層の表面より上に突出するように上記粘着剤層よりも厚く形成されるスペーサ層とが上記テープ基材に対して直に設けられている清掃用粘着テープを上記テープ基材の一方の面が表側を向くように巻回してなることを特徴としている。
【００２２】
請求項７に記載の発明は、上記請求項６において、上記粘着剤層および上記スペーサ層は、それぞれ隣接して交互に配置されていることを特徴としている。
【００２４】
請求項８に記載の発明は、上記請求項５に記載の清掃用粘着テープの製造方法によって製造され、上記粘着剤層が上記テープ基材の一方の面の上にほぼ平坦に形成されており、上記粘着剤層の上に上記スペーサ層がストライプ状に設けられている清掃用粘着テープを上記テープ基材の一方の面が表側を向くように巻回してなることを特徴としている。
【発明の効果】
【００２５】
請求項１に記載の発明によれば、テープ基材の一方の面に形成されたゴミ取り面を有する清掃用粘着テープの製造装置において、所定のテープ搬送経路上を移動する上記テープ基材の一方の面上に所定のゴミ取り面形成材を塗布する塗布ノズルを含み、上記塗布ノズルは、上記テープ基材の一方の面上に粘着剤を直に塗布して被清掃面上に存在するゴミを捕捉する粘着剤層を形成する第１塗布部と、上記粘着剤よりも弱い弱粘着剤を含みゴム弾性を有するスペーサ剤を上記テープ基材の一方の面上における上記粘着剤層とは異なる位置に上記粘着剤とほぼ同時に直に塗布してスペーサ層を形成する第２塗布部とを一体に備え、上記第２塗布部は、上記テープ基材の一方の面に対して上記第１塗布部とほぼ同じ高さ位置に配置し、粘着剤およびスペーサ剤の温度，粘度，吐出圧，吐出量の中から選択された少なくとも一つの塗布条件を制御することにより、上記第１塗布部と上記第２塗布部の高さ位置を変えることなく、粘着剤層と、それよりも厚さの厚いスペーサ層とを安定した状態で、かつ、高速に塗工でき、生産性が向上する。
【００２６】
また、従来のように剥離剤を上から垂らして剥離剤層を形成する場合、吐出された剥離剤層の断面は円柱状となる。テープ表面を平滑にして背面との最低限の接触させるため、ロール間に通し，平板状にする工程なども必要とされる。また、基材と吐出口に距離があるため、破断や間隔が不安定となる。それと比べてスペーサ層の塗布ノズルを基材に近づけての吐出は、破断防止、間隔精密性、生産性が飛躍的に向上するばかりでなく、粘着剤層とスペーサ層との構成材料に親和性を良くする添加剤などを配合する必要がなくなる。また、相溶性の悪い材料が相手に移行することもなく、双方の材料選択の制限が緩和され、よりコストを安く抑えることもできる。
【００２７】
請求項２に記載の発明によれば、上記塗布ノズルは、粘着剤注入口を有する第１ヘッド部およびスペーサ剤注入口を有する第２ヘッド部と、上記各ヘッド部間に狭持される第１シーム部材および第２シーム部材とを含み、上記第１シーム部材の下端側には、所定の第１案内経路を介して上記粘着剤注入口と連通する第１吐出口が櫛刃状に形成され、上記第２シーム部材の下端部には、所定の第２案内経路を介して上記スペーサ剤注入口と連通する第２吐出口が、上記第１吐出口の間に配置されているため、異なる塗工パターンの塗布物を複数形成することができる。
【００２８】
請求項３に記載の発明によれば、テープ基材の一方の面に形成されたゴミ取り面を有する清掃用粘着テープの製造装置において、所定のテープ搬送経路上を移動する上記テープ基材の一方の面上に所定のゴミ取り面形成材を塗布する塗布ノズルを含み、上記塗布ノズルは、上記テープ搬送経路上の上流側に配置され、上記テープ基材の一方の面上に粘着剤を直に塗布して被清掃面上に存在するゴミを捕捉する粘着剤層を形成する第１塗布部と、上記テープ搬送経路上の下流側に配置され、上記粘着剤よりも弱い弱粘着剤を含みゴム弾性を有するスペーサ剤を塗布してスペーサ層を形成する第２塗布部とを一体に備え、上記第１塗布部および上記第２塗布部は、上記テープ基材の一方の面に対してほぼ同じ高さ位置に設けられており、上記第１塗布部は、上記テープ基材の幅方向に沿って連続して開口された第１吐出口を有し、上記第２塗布部は、上記テープ基材の幅方向に沿って櫛刃状に開口された上記第２吐出口を有し、上記第１吐出口から吐出された上記粘着剤を上記テープ基材の上に沿ってほぼ平坦な上記粘着剤層として塗布するとともに、上記粘着剤層の上に上記第２吐出口から吐出された上記スペーサ剤を筋状に塗布することにより、粘着剤層の上にスペーサ層を直接設けることで、レール引き現象を効果的に防止することができる。
【００３２】
請求項４に記載の発明によれば、テープ基材の一方の面に形成されたゴミ取り面を有する清掃用粘着テープの製造方法において、所定のテープ搬送経路上を移動する上記テープ基材の一方の面上に所定のゴミ取り面形成材を塗布する塗布ノズルを含み、上記塗布ノズルは、上記テープ基材の一方の面上に粘着剤を直に塗布して被清掃面上に存在するゴミを捕捉する粘着剤層を形成する第１塗布部と、上記粘着剤よりも弱い弱粘着剤を含みゴム弾性を有するスペーサ剤を上記テープ基材の一方の面上における上記粘着剤層とは異なる位置に上記粘着剤とほぼ同時に直に塗布してスペーサ層を形成する第２塗布部とを一体に備え、上記第２塗布部を上記テープ基材の一方の面に対して上記第１塗布部とほぼ同じ高さ位置に配置し、上記粘着剤および上記スペーサ剤の温度，粘度，吐出圧，吐出量の中から選択された少なくとも一つの塗布条件を制御して、上記粘着剤層の厚さがＴ１、上記スペーサ層の厚さがＴ２（Ｔ２＞Ｔ１）となるように、上記テープ基材の一方の面に対して、上記第１塗布部と上記第２塗布部とから、上記粘着剤と上記スペーサ剤とをほぼ同時に直に塗布して、上記粘着剤層と、それよりも厚さの厚い上記スペーサ層とを形成することにより、被清掃面に対する粘着剤層の接触を抑えて、レール引き現象を効果的に防止することができる。
【００３４】
請求項５に記載の発明によれば、テープ基材の一方の面に形成されたゴミ取り面を有する清掃用粘着テープの製造方法において、所定のテープ搬送経路上を移動する上記テープ基材の一方の面上に所定のゴミ取り面形成材を塗布する塗布ノズルを含み、上記塗布ノズルは、上記テープ搬送経路上の上流側に配置され、上記テープ基材の一方の面上に粘着剤を直に塗布して被清掃面上に存在するゴミを捕捉する粘着剤層を形成する第１塗布部と、上記テープ搬送経路上の下流側に配置され、上記粘着剤よりも弱い弱粘着剤を含みゴム弾性を有するスペーサ剤を塗布してスペーサ層を形成する第２塗布部とを一体に備え、上記第１塗布部は、上記テープ基材に沿って平坦な上記粘着剤層を形成するとともに、上記第２塗布部は、上記粘着剤層の上に上記テープ基材の繰り出し方向に沿って上記スペーサ層を筋状に形成することにより、テープ基材の全面にわたってに粘着剤層が形成されたいわゆるベタ塗り粘着テープであっても、レール引き現象の発生を効果的に抑えることができる。
【００３５】
また、上記スペーサ層は、上記粘着剤層の粘着剤よりも弱い弱粘着剤を含むことにより、レール引き現象を効果的に抑制しつつ、ゴミ取り面で捕捉したゴミを補助的に捕らえて、ゴミの脱落を確実に防止することができる。
【００３７】
請求項６に記載の清掃用粘着テープロールによれば、上記テープ基材の一方の面に、上記ゴミを捕捉する粘着剤層と、表面が上記粘着剤層の表面より上に突出するように上記粘着剤層よりも厚く形成されるスペーサ層とが上記テープ基材に対して直に設けられている清掃用粘着テープを上記テープ基材の一方の面が表側を向くように巻回することにより、レール引き現象の発生を効果的に抑えることができる。また、強く押し付けることにより、ゴミ取り面が強く接触して、絨毯などの被清掃面を確実に清掃することができる。
【００３８】
請求項７に記載の清掃用粘着テープロールによれば、粘着剤層とスペーサ層とが隣接して交互に配置されていることにより、粘着剤層が床面に張り付くことを確実に防止することができる。
【００４０】
請求項８に記載の清掃用粘着テープロールによれば、粘着剤層は、上記テープ基材の一方の面の上にほぼ平坦に形成され、上記粘着剤層の上に上記スペーサ層がストライプ状に設けられているため、粘着剤層の面積を広くでき、より捕捉性を高めることができる。
【図面の簡単な説明】
【００４１】
【図１】本発明の一実施形態に係る清掃用粘着テープロールの斜視図。
【図２】粘着テープのＡ−Ａ線断面図および部分拡大図。
【図３】塗布ノズルの分解斜視図。
【図４】第１シーム部材の側面図。
【図５】第２シーム部材の正面図。
【図６】シーム部材内の塗布剤の吐出経路を示す模式図。
【図７】塗布ノズルの塗布状態を模式的に示す模式図。
【図８】粘着剤層とスペーサ層の塗工パターンの変形例を示す模式図。
【図９】塗布ノズルを２台並べた状態の模式図。
【図１０】塗布ノズルの変形例を模式的に示す模式図。
【図１１】（ａ）シーム部材内の塗布剤の吐出経路を示す模式図，（ｂ）均し部の均し工程を示す模式図。
【発明を実施するための形態】
【００４２】
次に、本発明の実施形態について図面を参照しながら説明するが、本発明はこの限りではない。図１は、本発明の一実施形態に係る清掃用粘着テープロールの粘着テープを繰り出した状態の斜視図であり、図２は、図１のＡ−Ａ線断面図およびその部分拡大図である。図３はノズルヘッドの分解斜視図であり、図４はノズルヘッドに挟まれる一方のシーム部材（第１シーム部材）の側面図であり、図５は他方のシーム部材（第２シーム部材）の側面図である。図６はノズルヘッド内での粘着剤の動きを説明する説明図であり、図７はその塗布状態を示す模式図である。
【００４３】
図１に示すように、この清掃用粘着テープロール１は、テープ基材２１の一方の面にゴミ取り面２２が形成された粘着テープ２を有し、そのゴミ取り面２２が表側（図１では上面側）を向くように巻芯３に沿ってロール状に巻回したものからなる。
【００４４】
この例において、巻芯３はボール紙などの紙製巻芯が用いられているが、これ以外に合成樹脂製の巻芯を用いてもよい。さらには、巻芯３を用いずに巻回する、いわゆるコアレス構造であってもよく、本発明において巻芯３の構成は任意である。
【００４５】
テープ基材２１は、例えば紙製で、図２に示すように、裏面（図２では下面）には、テープ基材２１の補強用としてのラミネートフィルム２３が設けられている。この例において、ラミネートフィルム２３は、ポリエチレン製でテープ基材２１の裏面に一体的に貼り合わせられている。
【００４６】
本発明において、ラミネートフィルム２３は任意的な構成要素であり、テープ基材２１を紙に代えて、樹脂フィルムなどを用いることにより不要とすることができる。また、粘着剤の組成をコントロールすることによっても、ラミネートフィルム２３を省くことができる。
【００４７】
図２を参照して、ゴミ取り面２２には、ゴミを捕捉するための粘着剤層４と、粘着剤層４が図示しない被清掃面に対して接触しにくくするスペーサ層５とが含まれている。スペーサ層５は弾性変形可能で、例えばフローリング材などからなる床面に対して、無負荷状態で粘着剤層４を非接触に保つ役割を果たし、性状的には上記特許文献２の剥離剤層に相当している。
【００４８】
粘着剤層４は、例えばＳＩＳ（スチレン−イソプレン−スチレン）系粘着剤からなる母材に所定の添加剤を加えた粘着剤をテープ基材２１の表面に、粘着テープ２の繰り出し方向（図２では紙面垂直方向）に沿ってスジ状に塗布することにより形成され、一定間隔をもってストライプ状に形成されている。なお、粘着剤の組成は、仕様に応じて任意に変更可能である。
【００４９】
図２の部分拡大図に示すように、各粘着剤層４は、テープ基材２１の表面に厚さＴ１（Ｔ１：５〜２０μｍ）で、幅Ｗ１（０．５〜１．５ｍｍ）となるように一様に塗布されている。粘着剤層４の厚さＴ１および幅Ｗ１は仕様に応じて任意に変更できる。
【００５０】
各粘着剤層４の両側には、スペーサ層５が設けられている。スペーサ層５は適度なゴム弾性を有するとともに、粘着剤層４の粘着剤よりも弱い粘着力の弱粘着剤からなり、その表面が粘着剤層４の表面から突出するように設けられている。
【００５１】
すなわち、スペーサ層５の厚さＴ２が粘着剤層４の厚さＴ１よりも厚くなる（Ｔ２＞Ｔ１）となるように設けられている。この例において、スペーサ層５は、テープ基材２１の表面に厚さＴ２（Ｔ１：６０〜１００μｍ）で、幅Ｗ２（０．３〜０．６ｍｍ）となるように一様に塗布されている。スペーサ層５の厚さＴ２および幅Ｗ２は仕様に応じて任意に変更できる。
【００５２】
この例において、粘着剤層４とスペーサ層５はともに、テープ基材２１の表面に直に塗布されており、それらが微少な隙間Ｇをもって互いに平行にストライプ状に配置されているが、これ以外に波目状などに配置されていてもよく、粘着剤層４が被清掃面に直に張り付かないようにスペーサ層が配置されていれば、その配置形態は仕様に応じて任意である。
【００５３】
図１に示すように、粘着テープ２には、ほぼ１周長毎に使用済み粘着テープを切断するための切れ目２４が設けられている。この例において、切れ目２４はミシン目からなるが、これ以外の切断手段を用いてもよい。
【００５４】
ゴミ取り面２２の幅方向の両端には、粘着性を持たない、いわゆるドライエッジ部２５，２５が設けられている。本発明において、ドライエッジ部２５，２５は任意的な構成要素であるため、その説明は省略する。
【００５５】
次に、図３〜図７を参照して、ゴミ取り面２２の形成方法について説明する。図３に示すように、粘着剤層４とスペーサ層５は、専用の塗布ノズル６を用いてテープ基材２１上に塗布される。
【００５６】
塗布ノズル６は、左右一対のヘッド部６１，６２と、各ヘッド部６１，６２の間に狭持される２枚のシーム部材６３，６４と、各シーム部材６３，６４の間に挟まれるセパレータ６５とを備えている。ヘッド部６１，６２はともに、ステンレスなどの金属製で、細長い棒状を呈している。
【００５７】
第１ヘッド部６１の上端面には、粘着剤が注入される第１注入ポート６１１が１箇所設けられている。第１注入ポート６１１には、タンクＴ１に貯留された粘着剤を注入する接続パイプが接続されており、接続パイプの途中には、流量を調節するバルブＶ１が設けられている。タンクＴ１は、ヒータＨ１によって加熱されており、粘着剤が所定の温度で保温できるようになっている。タンクＴ１，ヒータＨ１およびバルブＶ１は制御部Ｃによって制御されている。
【００５８】
第１ヘッド部６１の内部には、第１注入ポート６１１から注入された粘着剤を第１ヘッド６１の内側面に導く導通管６１３（図６参照）が設けられている。この例において、第１注入ポート６１１は１箇所設けられているが、その設置数は特に限定されない。
【００５９】
次に、第２ヘッド部６２は、第１ヘッド部６１とほぼ同じ金属製の成型品からなり、その上端面にはスペーサ剤が注入される第２注入ポート６２１が設けられている。タンクＴ２に貯留されたスペーサ剤を注入する接続パイプが接続されており、接続パイプの途中には、流量を調節するバルブＶ２が設けられている。タンクＴ２は、ヒータＨ２によって加熱されており、スペーサ剤が所定の温度で保温できるようになっている。これらタンクＴ２，ヒータＨ２およびバルブＶ２は、制御部Ｃによって制御されている。
【００６０】
第２ヘッド部６２の内部には、第２注入ポート６２１から注入されたスペーサ剤を第２ヘッド６２の内側面に導く導通管６２３（図６参照）が設けられている。この例において、第２注入ポート６２１は１箇所設けられているが、その設置数は特に限定されない。
【００６１】
図４を参照して、第１シーム部材６３は金属製の扁平な板体からなり、第１ヘッド部６１の内側面とセパレータ６５との間に挟み込まれるように矩形状に形成されている。第１シーム部材６３の一方の側面の下端には、粘着剤が流し込まれる第１吐出口６３１が櫛刃状に多数設けられている。
【００６２】
第１吐出口６３１は、第１シーム部材６３の下端縁から中央に向かって切り欠かれたスリット溝からなり、所定の間隔をもって互いに平行に設けられている。第１吐出口６３１に向けて第１ガイド溝６１４から粘着剤が供給されることにより、粘着剤がスジ状にテープ基材２１上に塗布され、粘着剤層４がテープ基材２上に直に形成される。
【００６３】
図３を参照して、セパレータ６５を挟んで他方の側面には、第２ヘッド部６２の内側面に挟み込まれる第２シーム部材６４が設けられている。
【００６４】
図５に示すように、第２シーム部材６４には、スペーサ剤が流し込まれる第２吐出口６４１が多数設けられている。第２吐出口６４１は、第２シーム面６４の下端から中央に向かって溝状に切り欠かれた切欠溝からなり、それらが所定の間隔をもって互いに平行に設けられている。
【００６５】
これによれば、図６，図７に示すように、第１注入ポート６１１から供給された粘着剤は、導通管６１３を通って第１ヘッド部６１の内側面に運ばれたのち第１吐出口６３１に供給され、第１吐出口６３１の先端から吐出される。
【００６６】
他方において、図６，図７に示すように、第２注入ポート６２１から送り込まれたスペーサ剤は、導通管６２３を通って第２ヘッド部６２の内側面に運ばれたのち、第２吐出口６４１の側面に供給されて、第２吐出口６４１の先端から吐出される。
【００６７】
図６の図面上において、第１シーム部材６３と第２シーム部材６４の第１吐出口６３１と第２吐出口６４１の位置は同一となっているが、実際には、スペーサ層５を粘着剤層４よりも厚塗り塗工するため、第２吐出口６４１の位置は、第１シーム部材６３の第１吐出口６３１からみて高い位置に設けられている。
【００６８】
図７に示すように、第１吐出口６３１と第２吐出口６４１はそれぞれ交互に配置されている。これにより、各第１吐出口６３１の先端から吐出された粘着剤により、テープ基材２１の表面にスジ状の粘着剤層４が形成され、その粘着剤層４の間にスペーサ層５がほぼ同時に平行に形成される。
【００６９】
これによれば、テープ基材２１の表面に粘着剤層４とスペーサ層５を直接同時に形成できることにより、生産性が向上してより安価に製造できるばかりでなく、製品の信頼性も向上する。なお、粘着剤とスペーサ剤の溶融温度や塗布速度などは、仕様に応じて任意に設定される。
【００７０】
この例において、塗布ノズル６は、２枚のシーム部材６３，６４を用いて２種類の塗布物を塗布しているが、各ヘッド部６１，６２の間にシーム部材をさらに増やすことにより、第３、第４の塗布層をテープ基材２１の上に設けることができる。
【００７１】
これとは別に、図９に示すように、テープ基材２１の流れ方向に沿って２つの塗布ノズル６，６を配置することによっても、同様に塗布物の種類や形成パターンを変えることができる。
【００７２】
また、シーム部材６３，６４の形状を調節することにより、図８（ａ）に示すように、特許文献２と同じような粘着剤層４の上にスペーサ層５を筋状に高速で形成することも可能である。さらには、図８（ｂ）に示すように、一部が凹まされた粘着剤層４の凹溝内に沿ってスペーサ層５を設けることもできる。
【００７３】
また、この例において、粘着剤層４およびスペーサ層５は、粘着テープ２の繰り出し方向に沿って平行に形成されているが、これ以外に、粘着テープ２の繰り出し方向に対して所定角度傾斜して設けられていてもよいし、繰り出し方向に対して直角に形成されていてもよい。
【００７４】
この例において、第２吐出口６４１の位置は、第１シーム部材６３の吐出口からみて高い位置に設けられているが、第１吐出口６３１と第２吐出口６４１とは相対的にほぼ同一平面上に設けられていてもよい。その場合、例えば粘着剤およびスペーサ剤の温度や粘度、さらには吐出圧や吐出量などを管理することにより、粘着剤層４およびスペーサ層５の塗布厚や形状を変えることができる。このような態様も本発明に含まれる。
【００７５】
すなわち、図３に示すように、制御部Ｃが、バルブＶ１，Ｖ２をコントロールすることで、第１吐出口及び第２吐出口のそれぞれの吐出圧、量、などを任意に設定し、スペーサ剤層が粘着剤層よりも高い塗布厚さになるようにすることができる。
【００７６】
また、ヒータＨ１，Ｈ２を制御部Ｃによってコントロールすることで、粘着剤の温度を高めて粘度を低くし、スペーサ剤の温度を低めに設定して粘度を高めることでも、スペーサ剤の高さと粘着剤の高さを変えることもできる。
【００７７】
図１０に示すように、この塗布ノズル６Ａは、上述した塗布ノズル６とほぼ同じ形状であり、同一と見なされる箇所には同じ参照符号を付した。この塗布ノズル６Ａは、第１シーム部６３が基材２１の幅方向に沿って連続して開口されており、第１吐出口６３１から粘着剤が幅方向に沿って連続的に供給されるようになっている。
【００７８】
これによれば、第１注入ポート６１１から供給された粘着剤は、導通管６１３を通って第１ヘッド部６１の内側面に運ばれたのち第１吐出口６３１に供給され、第１吐出口６３１の先端から連続して吐出され、テープ基材２１のほぼ全面にわたって粘着剤層４が形成される。
【００７９】
第２ヘッド部６２は、上述した塗布ノズル６と同様に、第２ヘッド部６２の延在方向に沿って間欠的に設けられた第２吐出口６４１を有し、第２吐出口６４１からスペーサ剤が吐出される。これによれば、第１ヘッド部６１によってテープ基材２１に塗布された粘着剤層４の上にスペーサ層５が筋状に連続して形成される。
【００８０】
この例において、第１ヘッド部６１と第２ヘッド部６２との間には、セパレータ６５が設けられており、セパレータ６５の先端には、第１ヘッド部６１から吐出された粘着剤を均すための均し部６６が設けられている。
【００８１】
図１１（ａ），（ｂ）に示すように、均し部６６は、塗布ノズル６Ａのノズル先端から突設された円弧面からなり、第１吐出口６３１から吐出された粘着剤の表面を均し部６６が均すことで、粘着剤をテープ基材２１に均一に塗布することができるようになっている。
【００８２】
これによれば、均し部６６を設けたことで、より均一な粘着剤層４が得られるばかりでなく、第１吐出口６３１と第２吐出口６４１の吐出位置を同一平面内に設けたとしても、粘着剤層４の高さとスペーサ層５の高さとを異なる位置に設けることができる。
【符号の説明】
【００８３】
１  粘着テープロール
２  粘着テープ
２１  テープ基材  
２２  ゴミ取り面
３  巻芯
４  粘着剤層
５  スペーサ層
６  塗布ノズル
６１  第１ヘッド部
６２  第２ヘッド部
６３  第１シーム部材
６３１  第１吐出口
６４  第２シーム部材
６４１  第２吐出口
６５  セパレータ
６６  均し部
【図１】
0005495690.tif 000002
【図２】
0005495690.tif 000003
【図３】
0005495690.tif 000004
【図４】
0005495690.tif 000005
【図５】
0005495690.tif 000006
【図６】
0005495690.tif 000007
【図７】
0005495690.tif 000008
【図８】
0005495690.tif 000009
【図９】
0005495690.tif 000010
【図１０】
0005495690.tif 000011
【図１１】
0005495690.tif 000012